(57)【要約】      （修正有）【課題】年ごとのサイクルを形成する一連の不均等な持続期間の周期的事象を同様に表示する。【解決手段】周期的事象インジケーター機構４９と、周期的事象を表示する持続期間を管理するための管理機構とを備え、管理機構は、周期的事象インジケーター機構による周期的事象のインジケーションから次の周期的事象のインジケーションへの移行を制御するように構成している周期的事象表示持続期間を管理するための管理カム２６と、計時器用ムーブメントによって駆動される日付インジケーター機構３と、管理カムを月当たり１ピッチ前進させるように日付インジケーター機構によって制御される月フィンガー６と、及び管理カム２６と周期的事象インジケーター機構の間に配置され周期的事象の移行の間に周期的事象インジケーター機構を駆動するように構成している周期的事象フィンガー３９とを備える、ゾディアックの期間を表示する表示デバイス、さらには、計時器。【選択図】図１Ａ
2020173251.tif 000002
【特許請求の範囲】
【請求項１】
年ごとのサイクルを形成する一連の周期的事象を表示する表示デバイス（１）であって、
周期的事象インジケーター機構（４９）と、及び
前記周期的事象インジケーター機構が周期的事象を表示する持続期間を管理するための管理機構と
を備え、この管理機構は、
前記周期的事象インジケーター機構によるある周期的事象のインジケーションから次の周期的事象のインジケーションへの移行を制御するように構成している周期的事象表示持続期間を管理するための管理カム（２６）と、
計時器用ムーブメントによって駆動される日付インジケーター機構（３）と、
前記管理カム（２６）を月当たり１ピッチ前進させるように前記日付インジケーター機構によって制御される月フィンガー（６）と、及び
前記管理カム（２６）と前記周期的事象インジケーター機構の間に配置され周期的事象の移行の間に前記周期的事象インジケーター機構を駆動するように構成している周期的事象フィンガー（３９）と
を備えることを特徴とする表示デバイス。
【請求項２】
前記日付インジケーター機構は、日当たり完全な１回転し３１日間当たり完全な１回転のレートで日付インジケーター車（４）を駆動する日付駆動車（２）を備える
ことを特徴とする請求項１に記載の表示デバイス。
【請求項３】
前記月フィンガー（６）は、回転可能であるように前記日付インジケーター車（４）にマウントされ、計時器用ムーブメントにおいて固定マウントされた第１のピン（１８）によって並進運動及び回転運動をするようにガイドされる
ことを特徴とする請求項２に記載の表示デバイス。
【請求項４】
前記月フィンガー（６）には、第１のくちばし部（１０）があり、その第１の点（１２）は、コンコイド状の第１の経路（１４）を描く
ことを特徴とする請求項３に記載の表示デバイス。
【請求項５】
各月の終わりにおいて前記日付インジケーター機構（３）が日付表示「３１」から日付表示「１」に切り替わるときに、前記月フィンガー（６）の前記第１のくちばし部（１０）の前記第１の点（１２）が、周期的事象表示持続期間を管理するための管理カム（２６）が固定される月インジケーター車（２０）の第１の歯列（２２）と係合し、かつ、この月インジケーター車（２０）を１ピッチ前進させ、この月インジケーター車（２０）は、年当たり完全な１回転をする
ことを特徴とする請求項４に記載の表示デバイス。
【請求項６】
前記周期的事象表示持続期間を管理するための管理カム（２６）の輪郭（２８）に支えられるように維持され、かつ、この管理カム（２６）と前記周期的事象フィンガー（３９）の間に配置されるレバー（３０）を備える
ことを特徴とする請求項５に記載の表示デバイス。
【請求項７】
前記周期的事象フィンガー（３９）は、前記レバー（３０）と前記日付インジケーター車（４）の間にマウントされる
ことを特徴とする請求項６に記載の表示デバイス。
【請求項８】
前記周期的事象フィンガー（３９）は、回転可能であるように前記日付インジケーター車（４）にマウントされ、かつ、前記レバー（３０）内にて固定的にマウントされた第２のピン（３６）によって並進運動及び回転運動するようにガイドされる
ことを特徴とする請求項７に記載の表示デバイス。
【請求項９】
前記周期的事象フィンガー（３９）には、第２のくちばし部（４４）があり、その第２の点（４６）は、コンコイド状の第２の経路（４８）を描く
ことを特徴とする請求項８に記載の表示デバイス。
【請求項１０】
月１回、ある周期的事象からその直後の周期的事象への移行の間に、前記周期的事象フィンガー（３９）の前記第２のくちばし部（４４）の前記第２の点（４６）は、前記周期的事象インジケーター機構（４９）の第２の歯列（５２）と係合して、この周期的事象インジケーター機構（４９）を１ピッチ前進させ、この周期的事象インジケーター機構（４９）は、年当たり完全な１回転をする
ことを特徴とする請求項９に記載の表示デバイス。
【請求項１１】
前の周期的事象の移行が行われた月の日とは異なる月の日に周期的事象を移行しなければならない月の初めに、前記管理カム（２６）は、前記周期的事象フィンガー（３９）の位置の適合性を制御し、前記周期的事象フィンガー（３９）は、１つの周期的事象から次の周期的事象への移行が発生する当月の日に前記周期的事象インジケーター機構（４９）を前進させることができるように予め配置される
ことを特徴とする請求項１０に記載の表示デバイス。
【請求項１２】
前記周期的事象インジケーター機構（４９）は、ジャンパーばね（５４）によってインデクシングされる周期的事象インジケーター車であり、前記周期的事象フィンガー（３９）は、１つの周期的事象からその直後の周期的事象へと切り替わるときに前記周期的事象インジケーター車と月に１回噛み合う
ことを特徴とする請求項１１に記載の表示デバイス。
【請求項１３】
前記周期的事象インジケーター機構（４９）がゾディアックの期間を表示するように構成している場合に、前記管理カム（２６）の前記輪郭（２８）には、前記インジケーター機構が７月、８月、９月、１０月及び１１月の２２〜２３日の夜にゾディアックの期間を切り替えることができるような第１の半径と、前記インジケーター機構が１２月と６月の２１〜２２日の夜にゾディアックの期間を切り替えることができるような第１の半径とは異なる第２の半径と、前記インジケーター機構が１月、３月、４月及び５月の２０〜２１日の月の夜にゾディアックの期間を切り替えることができるような第１及び第２の半径とは異なる第３の半径と、及び前記インジケーター機構が２月の１９〜２０日の夜にゾディアックの期間を切り替えることができるような第１、第２及び第３の半径とは異なる第４の半径の部分がある
ことを特徴とする請求項１２に記載の表示デバイス。
【請求項１４】
前記管理カム（２６）の前記輪郭（２８）には、７月、８月、９月、１０月及び１１月に対応する一定な第１の半径の第１の部分と、１２月に対応する第２の半径の第２の部分と、１月に対応する第３の半径の第３の部分と、２月に対応する第４の半径の第４の部分と、３月、４月及び５月に対応する一定な第３の半径の第５の部分と、及び６月に対応する第２の半径の最後の第６の部分がある
ことを特徴とする請求項１３に記載の表示デバイス。
【請求項１５】
請求項１〜１４のいずれか一項に記載の年ごとのサイクルを形成する一連の周期的事象を表示する表示デバイスを備える
ことを特徴とする計時器。
【発明の詳細な説明】
【技術分野】
【０００１】
本発明は、年ごとのサイクルを形成する一連の周期的事象を表示する表示デバイスに関する。本発明は、特に、ゾディアック（黄道十二宮）の期間のシーケンスを表示する表示デバイスに関する。本発明は、さらに、このような表示デバイスを備える計時器に関する。
【背景技術】
【０００２】
年ごとのサイクルは、同じ日数又は異なる日数によって構成している複数の期間に分けることができる。
【０００３】
例えば、１２の月の年ごとのサイクルは１２の期間に分けることができ、その各期間は、ゾディアックの十二宮のうちの１つに対応する。これらのゾディアック期間には、それらの持続期間が同一ではないという特殊性があり、これらの持続期間は実際に２９〜３２日にわたる。また、あるゾディアック期間から次のゾディアック期間への移行は、当該ゾディアックの宮の持続期間に応じて、対応する月の２０〜２３日に行われる。例えば、サジタリウス（Sagittarius）の宮に対応するゾディアックの期間は１１月２３日から１２月２１日までの２９日間にわたり、キャンサー（Cancer）の宮に対応するゾディアックの期間は６月２２日から７月２２日までの３１日間にわたる。
【０００４】
また、年ごとのサイクルは、年の１２の月に対応する１２の期間に分けることができる。これらの月の持続期間は、２８日から３１日にまたがり、等しくない。
【０００５】
これらの期間を表示する表示デバイスは既に知られている。最も基本的な態様は、年ごとのサイクルの異なる期間が角区画によって表されているディスクを備えるものであり、これらの角区画の角度は、対応する期間の日数に応じて変わっている。第１の形態においては、表盤の下でディスクを回転させ、この表盤には開口が形成されており、この開口を通して現在の期間が見える。別の形態においては、現在の期間を指すインデックスの反対側でディスクを回転させる。別の形態においては、現在の期間を指す針をディスクの上で回転させる。
【０００６】
したがって、年ごとのサイクルの異なる期間を示すディスク又はこのようなディスクの上で動く針の駆動機構は、ジャンプタイプ又はトレーリングタイプのものであり、進みが規則的であり、そのために、現在の期間の表示の精度が、特に、ある期間から次の期間へ移行する際に、悪くなる。また、時間が同じレートで進むにもかかわらず、計時器の要素上にて異なる範囲の時間インジケーションを表示すると、計時器をあまり良く評価されないこととなってしまう。
【０００７】
Blancpainによる欧州特許出願ＥＰ３０２９５３１Ａ１によって、年ごとのサイクルを形成する期間を表示する表示デバイスが知られている。この表示デバイスの核心は、２入力１出力の差動機構によって構成している。第１の入力は、基準期間にしたがって回転するように構成している基準駆動車によって構成している。第２の入力は、アクティブ化機構によって構成しており、このアクティブ化機構は、このアクティブ化機構と差動機構との連係が、表示される期間と基準期間との差に応じて期間を示す機構を前進又は後退させる効果を有するように構成している輪郭を有するカムと連係するように構成している。最後に、出力は、インジケーター機構の駆動機構によって構成している。
【０００８】
これらの特徴のおかげで、Blancpain式の表示デバイスは、必ずしもすべてが等しくない期間を規則的に表示することを可能にしている。また、表示デバイスに動きを与えるように差動機構を選択することによって、この表示デバイスを備えた計時器の表盤の周部における任意の位置に期間インジケーター機構を配置することが可能になる。他方で、よく知られているように、差動機構は多くの部品を必要とし、繊細な設計を必要とする。したがって、このような表示デバイスは、価格が高いハイエンドな部品以外では用いることが難しい。
【発明の概要】
【発明が解決しようとする課題】
【０００９】
本発明は、特に、年ごとのサイクルを形成する一連の不均等な持続期間の周期的事象を同様に表示することを可能にするデバイスを提供することによって、上記の課題や他の課題を解決することを目的とする。
【課題を解決するための手段】
【００１０】
このために、本発明は、年ごとのサイクルを形成する一連の周期的事象を表示する表示デバイスに関する。これは、周期的事象インジケーター機構と、及び前記周期的事象インジケーター機構が周期的事象を表示する持続期間を管理するための管理機構とを備える。この管理機構は、前記周期的事象インジケーター機構によるある周期的事象のインジケーションから次の周期的事象のインジケーションへの移行を制御するように構成している周期的事象表示持続期間を管理するための管理カムと、前記管理カムを月当たり１ピッチ前進させるように日付インジケーター機構によって制御される月フィンガーと、及び前記管理カムと前記周期的事象インジケーター機構の間に配置され周期的事象の移行の間に前記周期的事象インジケーター機構を駆動するように構成している周期的事象フィンガーとを備える。
【００１１】
本発明のいくつかの特別な実施形態は、以下の特徴を有する。
−  前記日付インジケーター機構は、日当たり完全な１回転し３１日間当たり完全な１回転のレートで日付インジケーター車を駆動する日付駆動車を備える。
−  前記月フィンガーは、回転可能であるように前記日付インジケーター車にマウントされ、ムーブメントのプレートにおいて固定マウントされた第１のピンによって並進運動及び回転運動をするようにガイドされる。
−  前記月フィンガーには、第１のくちばし部があり、その第１の点は、コンコイド状の第１の経路を描く。
−  月の終わりにおいて前記日付インジケーター機構が日付表示「３１」から日付表示「１」に切り替わるときに、前記月フィンガーの前記第１のくちばし部の前記第１の点が、周期的事象表示持続期間を管理するための管理カムが固定される月インジケーター車の第１の歯列と係合し、かつ、この月インジケーター車を１ピッチ前進させ、この月インジケーター車は、年当たり完全な１回転をする。
−  前記周期的事象表示持続期間を管理するための管理カムの輪郭に支えられるように維持され、かつ、この管理カムと前記周期的事象フィンガーの間に配置されるレバーを備える。
−  前記周期的事象フィンガーは、前記レバーと前記日付インジケーター車の間にマウントされる。
−  前記周期的事象フィンガーは、回転可能であるように前記日付インジケーター車にマウントされ、かつ、前記レバー内にて固定的にマウントされた第２のピンによって並進運動及び回転運動するようにガイドされる。
−  前記周期的事象フィンガーには、第２のくちばし部があり、その第２の点は、コンコイド状の第２の経路を描く。
−  月１回、ある周期的事象からその直後の周期的事象への移行の間に、前記周期的事象フィンガーの前記第２のくちばし部の前記第２の点は、前記周期的事象インジケーター機構の第２の歯列と係合して、この周期的事象インジケーター機構を１ピッチ前進させ、この周期的事象インジケーター機構は、年当たり完全な１回転をする。
−  前の周期的事象の移行が行われた月の日とは異なる月の日に周期的事象を移行しなければならない月の初めに、前記管理カムは、前記周期的事象フィンガーの位置の適合性を制御し、前記周期的事象フィンガーは、１つの周期的事象から次の周期的事象への移行が発生する当月の日に前記周期的事象インジケーター機構を前進させることができるように予め配置される。
−  前記周期的事象インジケーター機構は、ジャンパーによってインデクシングされる周期的事象インジケーター車であり、前記周期的事象フィンガーは、１つの周期的事象からその直後の周期的事象へと切り替わるときに前記周期的事象インジケーター車と月に１回噛み合う。
−  前記周期的事象インジケーター機構がゾディアックの期間を表示するように構成している場合に、前記管理カムの前記輪郭には、前記インジケーター機構が７月、８月、９月、１０月及び１１月の２２〜２３日の夜にゾディアックの期間を切り替えることができるような第１の半径と、前記インジケーター機構が１２月と６月の２１〜２２日の夜にゾディアックの期間を切り替えることができるような第１の半径とは異なる第２の半径と、前記インジケーター機構が１月、３月、４月及び５月の２０〜２１日の月の夜にゾディアックの期間を切り替えることができるような第１及び第２の半径とは異なる第３の半径と、及び前記インジケーター機構が２月の１９〜２０日の夜にゾディアックの期間を切り替えることができるような第１、第２及び第３の半径とは異なる第４の半径の部分がある。
−  前記管理カムの前記輪郭には、７月、８月、９月、１０月及び１１月に対応する一定な第１の半径の第１の部分と、１２月に対応する第２の半径の第２の部分と、１月に対応する第３の半径の第３の部分と、２月に対応する第４の半径の第４の部分と、３月、４月及び５月に対応する一定な第３の半径の第５の部分と、及び６月に対応する第２の半径の最後の第６の部分がある。
【００１２】
本発明は、さらに、上記の種類の年ごとのサイクルを形成する一連の周期的事象を表示する表示デバイスを備える計時器に関する。
【００１３】
これらの特徴によって、本発明は、構成が比較的単純でコンパクトな、年ごとのサイクルを形成する周期的事象を表示する機構を提供する。構成が比較的単純であるため、本発明に係る表示機構は、少ない数の部品しか必要とせず、その結果、製造が経済的であり、動作の信頼性が高い。一方、コンパクトであるため、本表示機構は、多く内径の中に収容することができ、内径を常に変えなくてもよくなる。
【００１４】
図面を参照しながら年ごとのサイクルを形成するゾディアックの期間を表示する表示デバイスの例示的な実施形態についての以下の詳細な説明を読むことによって、本発明の他の特徴及び利点が明確になる。この例は、純粋に例示的な形態で与えられ、これに限定されない。
【図面の簡単な説明】
【００１５】
【図１Ａ】図１Ａは、アクエリアス（Aquarius）からピスカス（Pisces）へのゾディアックの期間の変化の直前の２月１９日に占有する位置における一連のゾディアックの期間を表示するように設計されている本発明に係る表示デバイスを上方から見た図である。
【図１Ｂ】図１Ｂは、図１Ａよりもスケールが大きい詳細図である。
【図２】図１と同様の図であり、デバイスを「３１」にされたときの表示デバイスの位置を示しており、この位置から３月１日に切り替わる。
【図３】３月１０日の中間位置における本発明に係る表示デバイスの図である。
【図４】３月の「３１」日と翌月の「１」日の間において、月を示している車の歯に月フィンガーが係合しているときの月フィンガーのくちばし部の点を示している詳細図である。
【図５】４月１日に占める位置における本発明に係る表示デバイスの図である。
【図６】月フィンガーのくちばし部の点から、そして、ゾディアックフィンガーのくちばし部の点からの環状のコンコイドタイプの経路を表す概略図である。
【発明を実施するための形態】
【００１６】
本発明は、年ごとのサイクルを形成し持続期間が等しくない周期的事象を同等に連続的に表示することを可能にするデバイスを提供することを伴う大きな創造性のあるアイデアから発展したものである。このために、本発明は、日付及び月インジケーターデバイスによって駆動されるカムを備える表示デバイスを提供し、この表示デバイスは、必要に応じて毎月末に、ある周期的事象からその直後の周期的事象への移行の日が到来したときに、対応する周期的事象を表示機構が表示するようにレバーを予め配置する。したがって、本発明は、このような特徴のおかげで、考慮すべき周期的事象が始まる月の日に応じて連続的に再配置される年ごとのサイクルを形成する周期的事象を表示する表示デバイスを提供することができる。したがって、計時器の所有者に認識させずに、長期にわたって必ずしも互いに規則的に続かないような周期的事象を表示することが可能である。
【００１７】
なお、本特許出願に添付している図面において、種々の車の回転方向を矢印で示していることに留意すべきである。
【００１８】
本発明に係る年ごとのサイクルを形成する一連の周期的事象を表示する表示デバイスは、全体として参照符号１によって示されており、好ましい実施形態（これに限定されない）において、１日当たり１回転のレートで計時器用ムーブメント（図示せず）が駆動する日付駆動車２を備える日付インジケーター機構３を備える。次に、この日付駆動車２は、１日当たり１ピッチのレートで日付インジケーター車４を駆動し、この日付インジケーター車４は、３１日で完全に１回転する。
【００１９】
月フィンガー６は、日付インジケーター車４によって偏心的に担持される第１の回転軸８のまわりに回転可能に日付インジケーター車４にマウントされている。また、この月フィンガー６には第１のくちばし部１０があり、その第１の点１２は、日付インジケーター車４上の回転軸８の位置及びこの月フィンガー６の長さの適切な選択によって決められる実質的にコンコイド状の第１の経路１４を描く。また、月フィンガー６には、くちばし部１０の点１２がコンコイド状経路１４を描くことができるように、第１のオブロング状の穴１６があり、この第１のオブロング状の穴１６に、計時器用ムーブメントのプレートに固定的にマウントされた第１のピン１８が係合しており、この第１のピン１８は、月フィンガー６を回転可能かつ並進運動可能にガイドする。
【００２０】
本発明に係る表示デバイス１は、さらに、月当たり１ピッチ進み年当たり１回転する月インジケーター車２０を備える。このために、月フィンガー６は、日付「３１」から翌月の日付「１」への各移行の間に、くちばし部１０の点１２が、この月インジケーター車２０の第１の歯列２２に入り込み、この月インジケーター車２０を１ピッチ前進させるように構成している。月インジケーター車２０を駆動した後、月のフィンガー６のくちばし部１０の点１２は、月インジケーター車２０の歯列２２から解放され、日付「３１」が次の日付「１」に移行するまでこの歯列２２と係合しない。その間に、月インジケーター車２０の位置は、第１のジャンパーばね２４によってインデクシングされる。
【００２１】
月インジケーター車２０は、１ピッチ前進したときに、この月インジケーター車２０に固定的にマウントされた、周期的事象を表示する持続期間を管理するためのカム２６を自身とともに駆動する。
【００２２】
ここで説明している表示デバイス１は、一連のゾディアックの十二宮を表示するように構成している。しかし、この例は純粋に例示のために示しているものであり、管理カム２６を適応させることによって、年ごとのサイクルを形成する特殊性を有する別の一連の周期的事象を表示することを非常に容易に行うことができることを理解することができるであろう。具体的には、中国式の天宮図の表示を考えることができる。
【００２３】
ここで関心事の黄道ゾディアック系と呼ばれるゾディアック系では、ゾディアックの１２の期間が、場合に応じて、関連する月の２０日、２１日、２２日又は２３日に始まる。また、２つの連続したゾディアックの期間が月の同じ日に開始しない場合、考えられている第１のゾディアックの期間の開始時とその直後のゾディアックの期間の開始時の間に１日を超える差があることはない。具体的には、３月から５月までに、関心事のゾディアックの期間、すなわち、アリエス（Aries）、タウロス（Taurus）、ジェミニ（Gemini）、のすべてが月の２１日から始まる。次のゾディアックの期間は、キャンサー（Cancer）の期間であり、６月２２日に始まる。７月から１１月までに、対応するゾディアックの期間、すなわち、レオ（Leo）、ビルゴ（Virgo）、リブラ（Libra）、スコーピオ（Scorpio）及びサジタリウス（Sagittarius）、はすべて、月の２３日に始まる。１２月にはカプリコーン（Capricorn）の期間が２２日に始まり、１月にはアクエリアス（Aquarius）の期間が２１日に始まり、２月にはピスクス（Pisces）の期間が２０日に始まる。
【００２４】
下記によってよく理解することができるように、管理カム２６は、表示デバイス１が、ゾディアックの期間の最初の日に別のゾディアックの期間から変わるように構成している。したがって、管理カム２６の輪郭２８は、７月、８月、９月、１０月及び１１月の２２〜２３日までの夜に表示デバイス１がゾディアックの期間を変えることができるような第１の半径Ｒ１を有する。同様に、管理カム２６の輪郭２８は、第１の半径Ｒ１とは異なる第２の半径Ｒ２を有し、これによって、表示デバイス１は、６月と１２月の２１〜２２日の夜にゾディアックの期間を変えることができる。同様に、管理カム２６の輪郭２８は、第１及び第２の半径Ｒ１及びＲ２とは異なる第３の半径Ｒ３を有し、これによって、表示デバイス１は、１月、３月、４月及び５月の２０〜２１日の夜にゾディアックの期間を変えることができる。最後に、管理カム２６の輪郭２８は、第１、第２及び第３の半径Ｒ１、Ｒ２及びＲ３とは異なる第４の半径Ｒ４を有し、これによって、本発明に係る表示デバイス１は、２月１９日から２０日の夜にゾディアックの期間を変えることができる。
【００２５】
このようにして、管理カム２６の輪郭２８には、７月、８月、９月、１０月、１１月に一定の半径Ｒ１の第１の部分、１２月に半径Ｒ２の第２の部分、１月に半径Ｒ３の第３の部分、２月に半径Ｒ４の第４の部分、３月、４月、５月に半径Ｒ３の第５の部分、最後に、６月に対応する半径Ｒ２の最後の第６の部分がある。
【００２６】
本発明によると、表示デバイス１は、さらに、計時器用ムーブメントのプレートに固定マウントされた第２の回転軸３２のまわりに回転可能にマウントされたレバー３０を備える。このレバー３０はフィーラーフィンガー３４を有し、フィーラーフィンガー３４が管理カム２６の輪郭２８に当てられる。また、このレバー３０は、周期的事象３９のフィンガーに形成される第２のオブロング状の穴３８内に入り込む第２のピン３６を担持しており、この第２のピン３６のために、このレバー３０が回転と並進運動の両方のガイドを確実にする。この周期的事象フィンガー３９は、ここで説明しているゾディアック系の表示に関する例では、ゾディアック系フィンガー４０の形態である日付インジケーター車４に、前記日付インジケーター車４によって偏心的に保持される第３の回転軸４２を中心として回転可能にマウントされている。このゾディアックフィンガー４０には、さらに、第２のくちばし部４４があり、その第２の点４６は、日付インジケーター車４上の第３の回転軸４２の配置及びこのゾディアックフィンガー４０の長さによって決められる実質的にコンコイド状の第２の経路４８を描く。
【００２７】
本発明に係る表示デバイス１は、さらに、ゾディアックインジケーター機構４９を備える。例示的な目的のみのために図面に示している例において、この機構は、ゾディアックの期間の各変化の間に１ピッチ前進し年当たり１回完全に回転するゾディアックインジケーター車５０である。このために、ゾディアックフィンガー４０は、ゾディアックの期間の各変化時に、そのくちばし部４４の点４６がゾディアックインジケーター車５０の歯列５２に入り込みゾディアックインジケーター車５０を１ピッチ前進させるように構成している。ゾディアックインジケーター車５０を１ピッチ駆動した後、ゾディアックフィンガー４０のくちばし部４４の点４６は、ゾディアックインジケーター車５０の歯列５２から解放され、ゾディアックの期間の次の変化時までこの歯列５２と再び係合しない。その間に、ゾディアックインジケーター車５０の位置は、第２のジャンパーばね５４によってインデクシングされる。例えば、ゾディアックインジケーションが示されたゾディアックインジケーションディスク５６によって組み付けが完成する。これらのゾディアックインジケーションは、例えば、計時器の表盤に形成された開口を通して見ることができ、その位置を図面において白塗り矢印によって示している。
【００２８】
当然、本発明は、上述した実施形態に限定されるものではなく、請求の範囲によって定められる本発明の範囲から逸脱することなく種々の単純な改変及び代替実施形態が当業者によって考えることができる。具体的には、ゾディアックの１２周期の表示に関連して本発明を説明したが、本発明は、このような実施形態に限定されず、年ごとのサイクルを形成する他の周期的事象の表示に適用することができることを理解することができるであろう。具体的には、中国の天宮図の表示を考えることができる。また、本明細書では月フィンガー６とゾディアックフィンガー４０が、日付インジケーター車４によって担持される２つの一致する回転軸８、４２のまわりに回転可能に日付インジケーター車４にマウントされている場合のみを説明しているが、月フィンガー６とゾディアックフィンガー４０が日付インジケーター車４によって担持される２つの別個の回転軸のまわりに回転可能にマウントされている簡略化された実施形態も考えられることを理解することができるであろう。また、図６に示しているように、月フィンガー６の第１のくちばし部１０の第１の点１２が実質的にコンコイド状の経路を描くことを理解することができるであろう。「環状のコンコイド」とは、固定された極Ｆ、すなわち、計時器用ムーブメントのプレートに固定マウントされた第１のピン１８、によってスライドするために必要な、接続ロッド、すなわち、月フィンガー６、の点ＰIの経路である二次元曲線を意味しており、この接続ロッドの点Ｃは円を描く。点Ｃによって描かれる円から始まり、固定された極Ｆの後に、位置する接続ロッドの点ＰEを考えると、月フィンガー６のくちばし部１０の点１２によって作られる図１Ａに概略的に示している経路が得られる。また、ゾディアックフィンガー４０のくちばし部４４の点４６は、円形のコンコイド状経路を描く。
【符号の説明】
【００２９】
１  表示デバイス
２  日付駆動車
３  日付インジケーター機構
４  日付インジケーター車
６  月フィンガー
１０  第１のくちばし部
１２  第１の点
１４  第１の経路
１８  第１のピン
２０  月インジケーター車
２２  第１の歯列
２６  管理カム
２８  輪郭
３０  レバー
３６  第２のピン
３９  周期的事象フィンガー
４４  第２のくちばし部
４６  第２の点
４８  第２の経路
４９  周期的事象インジケーター機構
５２  第２の歯列
５４  ジャンパーばね
【図１Ａ】
2020173251.tif 000003
【図１Ｂ】
2020173251.tif 000004
【図２】
2020173251.tif 000005
【図３】
2020173251.tif 000006
【図４】
2020173251.tif 000007
【図５】
2020173251.tif 000008
【図６】
2020173251.tif 000009
【外国語明細書】
2020173251000001.pdf